(57)【要約】【課題】引き出し自体を特殊な構造にしなくても、引き出し全体のスペースを有効に使って安定した状態で被収納物を分類して収納することができ、且つ被収納物の出し入れが容易で使い勝手のよい引き出し用収納トレー，厨房家具の引き出しおよび厨房家具を提供する。【解決手段】引き出し用収納トレー２０は、複数の収納部に被収納物３５を分類して収納可能で引き出し４に位置決めされたトレー本体３０と、被収納物を収納可能な少なくとも一つの収納部を有し、水平方向にスライド自在にトレー本体の上に配置される上部トレー３１とを備えている。【選択図】    図３
2004298421.tif 000002
【特許請求の範囲】
【請求項１】
厨房家具の引き出しに取付け可能な引き出し用収納トレーであって、
複数の収納部に被収納物を分類して収納可能で前記引き出しに位置決めされたトレー本体と、
被収納物を収納可能な少なくとも一つの収納部を有し、水平方向にスライド自在に前記トレー本体の上に配置される上部トレーとを備えたことを特徴とする引き出し用収納トレー。
【請求項２】
請求項１に記載の引き出し用収納トレーであって、
前記上部トレーをスライドさせるかまたは取り外すことにより、この上部トレーの下方の前記収納部に対して前記被収納物を出し入れ可能にしたことを特徴とする引き出し用収納トレー。
【請求項３】
請求項１または２に記載の引き出し用収納トレーであって、
この引き出し用収納トレーは、着脱可能な仕切り板で仕切ることにより前記収納部を形成可能になっていることを特徴とする引き出し用収納トレー。
【請求項４】
請求項１，２または３に記載の前記引き出し用収納トレーが取付けられたことを特徴とする厨房家具の引き出し。
【請求項５】
請求項４に記載の前記引き出しがキャビネットに引き出し収納自在に設けられたことを特徴とする厨房家具。
【発明の詳細な説明】
【０００１】
【発明の属する技術分野】
本発明は、被収納物を分類して収納するための引き出し用収納トレーと、この引き出し用収納トレーが取付けられ厨房家具に設けられる引き出しと、この引き出しが設けられた厨房家具に関する。
【０００２】
【従来の技術】
台所に設置されるキッチンなど厨房家具は、各種の被収納物を収納するための引き出しを備えている場合が多い。たとえば、特許文献１（特開平１０−１５５６７０号公報）には包丁収納用引き出しが記載されている。
この包丁収納用引き出しは、引き出し本体内の底板部上に水受けトレーを設け、この水受けトレー上に多数の水抜き孔が穿設された支持板を設け、この支持板上に包丁保持部を形成している。
【０００３】
一方、特許文献２（実開平６−５２７４１号公報）には、食器戸棚の引き出しの中に入れて使用するための、フォーク，ナイフ，スプーンなどの収納トレーが記載されている。
この収納トレーは、トレー本体の中を仕切り壁で仕切って多数の長い小皿を設けた形状を有している。
【０００４】
【特許文献１】
特開平１０−１５５６７０号公報
【特許文献２】
実開平６−５２７４１号公報
【０００５】
【発明が解決しようとする課題】
前記特許文献１に記載の包丁収納用引き出しは包丁のみを収納する機能なので、引き出し自体が特殊な構造になっている。そのため、包丁以外の被収納物をこの引き出しに分類して収納することはできなかった。
【０００６】
一方、特許文献２に記載の収納トレーには、フォーク，ナイフ，スプーンなどを分類して収納することができるが、この収納トレーは、引き出し内に単に置くだけなので、引き出しとの間に隙間ができることもあり、引き出し全体のスペースを有効に使って収納トレーを安定した状態にするための配慮はされていない。
したがって、引き出しの内方空間や上部スペースが無駄になったり、引き出し内で収納トレーが動いてしまって不安定になる恐れがあった。
【０００７】
本発明は、このような課題を解決するためになされたもので、引き出し自体を特殊な構造にしなくても、引き出し全体のスペースを有効に使って安定した状態で被収納物を分類して収納することができ、且つ被収納物の出し入れが容易で使い勝手のよい引き出し用収納トレー，厨房家具の引き出しおよび厨房家具を提供することを目的とする。
【０００８】
【課題を解決するための手段】
上述の目的を達成するため、本発明にかかる引き出し用収納トレーは、厨房家具の引き出しに取付け可能な引き出し用収納トレーであって、複数の収納部に被収納物を分類して収納可能で前記引き出しに位置決めされたトレー本体と、被収納物を収納可能な少なくとも一つの収納部を有し、水平方向にスライド自在に前記トレー本体の上に配置される上部トレーとを備えている。、
前記引き出し用収納トレーは、前記上部トレーをスライドさせるかまたは取り外すことにより、この上部トレーの下方の前記収納部に対して前記被収納物を出し入れ可能であるのが好ましい。
この引き出し用収納トレーは、着脱可能な仕切り板で仕切ることにより前記収納部を形成可能になっているのが好ましい。
本発明にかかる厨房家具の引き出しには、前記引き出し用収納トレーが取付けられ、また、厨房家具のキャビネットには、前記引き出しが引き出し収納自在に設けられている。
【０００９】
【発明の実施の形態】
以下、本発明にかかる実施の形態の一例を、図１ないし図５を参照して説明する。
図１は、システムキッチンの正面図、図２は図１の平面図、図３は前記システムキッチンの引き出しの斜視図、図４は引き出し用収納トレーの斜視図である。
なお、説明の便宜上、図１の左，右，上，下，紙面前方，紙面後方を、それぞれ、前記システムキッチンの左方，右方，上方，下方，前方，後方として説明する。
【００１０】
本実施形態では、厨房家具として、台所に設置されるキッチンの一種であるシステムキッチン（複合厨房家具）を例にとって説明するが、本発明は、他の厨房家具、たとえば、台所用品や食器などの被収納物を収納する収納庫や台所の流し台などにも適用可能である。
また、引き出し用収納トレーは、システムキッチン，収納庫，流し台などの厨房家具の上段の引き出しに取付けると便利であるが、厨房家具の中段や下段（足下）に位置する引き出しに取付ける場合でもよい。
【００１１】
図１ないし図４に示すように、厨房家具としてのシステムキッチン１は、床面上に設置されたキャビネット２を有している。キャビネット２には、各種形状，構造の複数の引き出し（引き出し３，４，５など）が、引き出し，収納自在に設けられている。
キャビネット２は、左方から右方に順次並設された、コンロキャビネット６，一方の調理台キャビネット７，シンクキャビネット８および他方の調理台キャビネット９と、キャビネット６〜９の上部を覆って取付けられたワークトップ１０とにより構成されている。
【００１２】
コンロキャビネット６にはコンロ１１が組み込まれており、一方の調理台キャビネット７の上部のワークトップ１０は調理台１２になっている。シンクキャビネット８の上部のワークトップ１０には、シンク１３が形成されている。他方の調理台キャビネット９には食器洗い乾燥機１４が取付けられ、上部のワークトップ１０は調理台１２になっている。
コンロキャビネット６には、上段の引き出し３と足下の引き出しが設けられ、一方の調理台キャビネット７には、上段の引き出し４と中段の引き出しと足下の引き出しとが設けられている。
シンクキャビネット８には、中段の引き出しと足下の引き出し５が設けられ、他方の調理台キャビネット９には、足下の引き出しが設けられている。キャビネット２に設けられたすべての引き出しは、受けレールとスライド部材により引き出し，収納自在になっている。
【００１３】
各キャビネット６〜９の内方の左右には側板１５が縦方向（床面と垂直方向）に設けられ、側板１５はキャビネット２の一部を構成している。隣り合うキャビネット６〜９同士の間の側板１５は仕切り壁の機能を有している。コンロキャビネット６の左側の側板１５と、他方の調理台キャビネット９の右側の側板１５は、外壁板としての機能を有している。
このように、コンロキャビネット６に、コンロ１１，複数の引き出し，対応するワークトップ１０などが設けられて、単体としての厨房家具が構成されている。これと同様に、他のキャビネット７，８もそれぞれシンク１３や引き出しなどを有し、キャビネット９も食器洗い乾燥機１４と引き出しを有しているので、システムキッチン１は、単体としての厨房家具が複合した複合厨房家具を構成している。
各キャビネット６〜９にそれぞれ設けられた引き出しのうち、最下段に配置された足下収納引き出し（引き出し５など）は、蹴込み１６が形成され、内部の収納スペースを広くするように蹴込み１６の奥も含んだ構成を有している。
【００１４】
本発明の引き出し用収納トレー（以下、収納トレーと記載）２０は、厨房家具の引き出しに取付け可能である。本実施形態では、システムキッチン１の一方の調理台キャビネット７の上段の引き出し４に、収納トレー２０が取付けられた場合を示している。
なお、収納トレー２０を、引き出し４以外の他の引き出しに取付ける場合、または、二つ以上の引き出しにそれぞれ収納トレー２０を取付ける場合などであってもよい。
【００１５】
図５は収納トレー２０の一部を示す斜視図である。図５（Ａ），（Ｂ），（Ｃ）は、仕切り板５５の取付け状態、上部トレー３１の取付け状態、包丁収納部材６０の取付け状態を、それぞれ示している。
図３ないし図５に示すように、引き出し４は、内方に空間が形成された矩形状の引き出し本体２１と、引き出し本体２１の前方に固定された前板２２とを有している。引き出し本体２１と前板２２とキャビネット２（図１）とにより、引き出し４をキャビネット２に収納した状態で被収納物を収納可能なスペースが形成される。
【００１６】
引き出し４の左右に配置されている側板１５（図１）には、左右一対の受けレール（図示せず）が取付けられている。一対の受けレールは、前後方向を向いて、ほぼ水平に且つ平行に配置されている。受けレールには、スライド部材２３が前後方向にスライド自在に係合している。
一対のスライド部材２３は、引き出し本体２１の左右両側に取付けられている。引き出し４は、一対の受けレールと一対のスライド部材２３を介して、キャビネット２に対して前後方向に自在に移動する。
【００１７】
収納トレー２０は、平面視で矩形状の引き出し４に取り付けるために、平面視で矩形状に形成されている。収納トレー２０は、一部の部品を除いてほぼ全体が合成樹脂（ポリスチレン，ＡＢＳ樹脂など）により一体的に形成されている。
引き出し４自体は汎用の構成であり、収納トレー２０を取付けるための特殊な構造にはなっていない。収納トレー２０は、接着剤などで引き出し４に固定して位置決め保持されている。
なお、接着剤などを用いずに、収納トレー２０をそのまま引き出し４に装着して取付け取外し可能に位置決めする場合、または、収納トレー２０を、複数のビスなどで引き出し４に取付け取外し可能に固定して位置決めする場合でもよい。
【００１８】
収納トレー２０は、トレー本体３０と上部トレー３１とを備えている。トレー本体３０は、引き出し４に位置決めされ、複数の収納部（たとえば、収納部３２，３３，３４）を有している。
この各収納部には、被収納物３５を分類して収納可能である。被収納物３５としては、たとえば、包丁３５ａ，調味料，ハサミなど調理小物類，カトラリー類，レードル・ラップ類などがある。
【００１９】
上部トレー３１は、被収納物３５を収納可能な少なくとも一つ（ここでは、三つ）の収納部４０を有し、平面視でほぼ矩形をなしている。上部トレー３１は、水平方向にスライド自在にトレー本体３０の上に配置されている。
こうして、収納トレー２０は、上部トレー３１がトレー本体３０の上に配置された二階建構造になっている。矢印Ｂに示すように、上部トレー３１をスライドさせるかまたは取り外すことにより、上部トレー３１の下方の収納部（たとえば、収納部３３）に対して被収納物３５を出し入れ可能にしている。
なお、トレー本体３０上に一つの上部トレー３１を配置した場合を示したが、複数の上部トレー３１をトレー本体上に配置した場合であってもよい。また、上部トレー３１は、水平方向にスライド自在であればよいので、前後方向（矢印Ｂ方向）にスライドする場合のほか、矢印Ｂと直交する左右方向にスライド自在にトレー本体上に取付けられた場合であってもよい。
上部トレー３１を設けたので、引き出し４全体のスペースを有効に使うことができ、且つ、被収納物３５の出し入れが容易で、引き出し４の使い勝手がよくなる。
【００２０】
平板状の底板部３６と、底板部３６から上方に向けてほぼ垂直に立ち上がる立ち上がり部３７とにより、各収納部（収納部３２〜３４，４０）が形成されている。
立ち上がり部３７は、平面視で縦横方向に延びて所定形状（たとえば、所定の模様状）に形成されている。立ち上がり部３７の一部は、トレー本体３０の周囲の外周壁３８を構成している。なお、収納トレー２０全体における立ち上がり部３７の平面視の形状は、他の各種形状にして、複数の収納部の配置が別の配置状態になるようにしてもよい。
【００２１】
外周壁３８の上端部には、平面視で矩形環状のフランジ部３９が一体形成されている。フランジ部３９は、トレー本体３０の全周にわたって形成され、外周壁３８より水平方向外方に若干突出している。立ち上がり部３７全体の上端面と、フランジ部３９の上面はほぼ面一になっている。
トレー本体３０の外形寸法が若干大きい場合などでも、トレー本体３０を引き出し４の内部空間に収納するとき、トレー本体３０が弾性変形するので、フランジ部３９が引き出し本体２１や前板２２に密着する。これにより、トレー本体３０が引き出し４にしっかりと位置決め保持される。
【００２２】
このように、トレー本体３０がその取り付け時に弾性変形すると、フランジ部３９の位置が若干変化する。したがって、引き出し４に対するトレー本体３０の平面視での外形寸法が製造誤差により若干大きい場合であっても、トレー本体３０が弾性変形して、フランジ部３９を、引き出し本体２１や前板２２の内周面に容易に密着させて、トレー本体３０を隙間がないように引き出し４にセットすることができる。
収納トレー２０は、引き出し４に保持されて動かないようになっているので、被収納物３５を安定した状態で収納することができる。なお、トレー本体３０を引き出し４にセットした状態で、フランジ部３９の上面と引き出し本体２１の上面がほぼ面一になるようにすれば、外観上好ましい。
【００２３】
上部トレー３１にも立ち上がり部３７が形成されており、この立ち上がり部３７により、一つまたは複数（ここでは、三つ）の収納部４０が上部トレー３１に形成されている。
トレー本体３０の立ち上がり部３７を構成する平行な一対の支持部材５０，５１が、前後方向（Ｂ方向）に延びている。支持部材５０，５１の各上端部には、上部トレー３１をスライド自在に係合させるための係合溝５２が、前後方向に延びて形成されている。
支持部材５０，５１により、上部トレー３１は、トレー本体３０上に前後方向にスライド自在に支持されている。係合溝５２を断面Ｌ字状に形成したので、上部トレー３１を係合溝５２から容易に取り外すこともできる。したがって、上部トレー３１の下方に位置する収納部（たとえば、収納部３３）に収納された被収納物３５の出し入れが容易である。
なお、係合溝５２と上部トレー３１の他の係合状態としては、上部トレー３１が、上方に外れることなく且つ水平方向（ここでは、前後方向）にのみスライドするように係合溝に拘束された場合であってもよい。
【００２４】
一方の支持部材５０はトレー本体３０の中央部近くに位置し、他方の支持部材５１は外周壁３８の一部を構成している。支持部材５０，５１が、収納トレー２０の左側に位置している場合を示したが、収納トレー２０の右側または中央部またはその他の位置であってもよい。
さらに、支持部材５０，５１が前後方向に延びて配置されているが、左右方向に延びて配置された場合でもよい。この場合、上部トレー３１は、一対の支持部材に支持されて、水平方向で且つ左右方向にスライド自在になる。
【００２５】
収納トレー２０において、着脱可能な仕切り板５５で仕切ることにより収納部が形成されるので、収納部の状態（収納部の数，位置，形状など）を任意に変更可能である。
互いに対向する一方の立ち上がり部３７と他方の立ち上がり部３７の各表面の所定位置には、上部側に開放するスリット状の複数の凹部５６が形成されている。一方の立ち上がり部３７に形成された複数の凹部５６と、他方の立ち上がり部３７に形成された複数の凹部５６は、互いに対向する位置にそれぞれ形成されている。
したがって、矢印Ｃに示すように、仕切り板５５を上方から一対の凹部５６に係合させて差し込めば、仕切り板５５は、立ち上がり部３７に対してほぼ直角に配置され、且つ凹部５６に係合して位置決め保持される。
こうして、トレー本体３０の内部空間は、立ち上がり部３７と仕切り板５５とにより（または、立ち上がり部３７のみにより）、周囲が囲まれた複数の収納部（収納部３２，３３，３４など）に仕切られる。
仕切り板５５は、ほぼ矩形状に形成されて複数準備されている。被収納物３５の種類，形状，数量などに応じて、仕切り板５５を差し替えることにより、収納部の状態を容易に変更することができる。
【００２６】
収納トレー２０は、被収納物３５の一種である包丁３５ａを安全に収納可能な包丁収納部材６０を有している。包丁収納部材６０は、所定の（または、任意の）収納部３２に着脱可能に収納される下部パーツ６１と、上部パーツ６３とにより構成されている。
上部パーツ６３は、下部パーツ６１に形成された被係合部６２に、矢印Ｄに示すように着脱可能に係合している。下部パーツ６１と上部パーツ６３は、ポリプロピレンなど合成樹脂によりそれぞれ一体的に形成されている。
包丁収納部材６０を、下部パーツ６１と上部パーツ６３に分離可能にしたので、各パーツ６１，６３を形成するための金型の構成が簡略化するとともに、各パーツ６１，６３の製造が容易になる。
包丁収納部材６０やその周りのトレー本体３０が汚れると、二つのパーツ６１，６３をトレー本体３０から取り外すとともに、各パーツ６１，６３同士を分離する。そうして、包丁収納部材６０とトレー本体３０を容易に清掃して常に清潔にすることができる。
【００２７】
引き出し４に収納トレー２０を取付けたので、これを使用する場合には、収納トレー２０の複数の収納部に各種の被収納物３５を分類して収納する。ユーザー（人）は、仕切り板５５の差し替えにより、収納部を被収納物３５の種類，形状などに応じた適切な大きさ，数にできるので、各種の被収納物３５を複数の収納部に良好に分類して収納することができる。
収納トレー２０は、トレー本体３０の上に上部トレー３１が配置された二階建て構造なので、上部トレー３１の収納部４０などにも被収納物３５を分類して収納することができ、収納トレー２０全体の収納可能能力が向上する。すなわち、収納トレー２０全体のスペースが大きくなり、被収納物３５を収納可能な引き出し４のスペースを有効に活用することができる。
上部トレー３１がトレー本体３０上をスライド自在になっているので、上部トレー３１の下方に位置する収納部（たとえば、収納部３３）に対しても、被収納物３５を容易に出し入れすることができる。
【００２８】
立ち上がり部３７と仕切り板５５（または、立ち上がり部３７のみ）とにより収納トレー２０の内部空間を仕切って複数の収納部を形成しているので、ユーザーの使い勝手に合わせて、被収納物３５を分類して収納することができる。被収納物３５の大きさなどによって仕切り板５５を差し替えれば、収納部の状態を自在に変更することができる。
また、収納トレー２０自体の構成が簡素なので、それほどコストをかけずに別の種類の収納トレーに取り替えることもできる。
【００２９】
引き出し４自体は、特殊な構造ではなく汎用のもので収納トレー２０を取付けできるので、引き出し４自体の共通化が可能である。
収納トレー２０は、通常はシステムキッチン１の製造時にあらかじめ引き出し４にセットされている。なお、既設の引き出しに収納トレー２０の寸法が合えば、既設のシステムキッチンなど厨房家具の引き出しに収納トレー２０をあとで増設することもできる。
収納トレー２０を引き出し４から取り外し可能にすれば、同じサイズの他の引き出しがある場合には、他の引き出しに収納トレー２０を移し替えて使い勝手をさらに改善することができる。
【００３０】
ユーザーが調理などの作業を行う際、包丁３５ａの使用頻度が多い場合に備えて、包丁収納部材６０はシンク１３に近い位置に配置するのが好ましい。本実施形態では、引き出し４がシンク１３の左側にあるので、包丁収納部材６０は収納トレー２０の右側（シンク１３側）に配置されている。すなわち、使用頻度の多い包丁３５ａがユーザーの近くに位置するので、調理の能率が向上する。
収納トレーが取付けられた引き出しがシンクの右側に位置するという別のタイプのシステムキッチンの場合には、包丁収納部材６０をトレー本体３０の左側（すなわち、シンク側）に寄せて配置すれば、ユーザーにとって引き出しの使い勝手がよい。
このように、収納トレー２０の収納部や包丁収納部材６０などを、システムキッチンの構成やユーザーの好みに合わせて、使い勝手よく容易に変更することができる。
【００３１】
以上、本発明の実施形態を説明したが、本発明は上述の実施形態に限定されるものではなく、本発明の要旨の範囲で種々の変形，付加などが可能である。
なお、各図中同一符号は同一または相当部分を示す。
【００３２】
【発明の効果】
本発明は上述のように構成したので、引き出し自体を特殊な構造にしなくても、引き出し全体のスペースを有効に使って安定した状態で被収納物を分類して収納することができ、且つ被収納物の出し入れが容易で使い勝手がよい。
【図面の簡単な説明】
【図１】図１ないし図５は本発明の実施形態の一例を示す図で、図１はシステムキッチンの正面図である。
【図２】図１の平面図である。
【図３】前記システムキッチンの引き出しの斜視図である。
【図４】引き出し用収納トレーの斜視図である。
【図５】図５（Ａ），（Ｂ），（Ｃ）は、それぞれ前記引き出し用収納トレーの一部を示す斜視図である。
【符号の説明】
１      システムキッチン（厨房家具）
２      キャビネット
４      引き出し
２０    引き出し用収納トレー
３０    トレー本体
３１    上部トレー
３２〜３４    収納部
３５    被収納物
３５ａ  包丁（被収納物）
４０    収納部
５５    仕切り板
【図１】
2004298421.tif 000003
【図２】
2004298421.tif 000004
【図３】
2004298421.tif 000005
【図４】
2004298421.tif 000006
【図５】
2004298421.tif 000007